(57)【要約】【課題】ＧＣ装置の校正用に使用されるプッシュ缶に直接に接続し、減圧及び流量制御によるガスの消費節約を可能としたプッシュ缶用圧力調整器を得る。【解決手段】ハウジング１０と、該ハウジング１０を被覆するカバー３０と、前記ハウジング１０とカバー３０間に配置されるピストン型の圧力調整弁機構４０を有する圧力調整器であって、前記ハウジング１０プッシュ缶１接続用の流入口１１を設け、該流入口１１の内壁に前記プッシュ缶１の凸部（頭部）２がねじ込み可能なネジ山１２を形成し、前記流入口にＯリング１６を装着し、該Ｏリング１６はプッシュ缶接続側にテ―パ面１７が形成された孔部１８を有するＯリング押え１９で固定する。そして、前記圧力調整弁機構４０は一次室と二次室とを遮断して前記カバー３０内を摺動するピストン部５０を有し、該ピストン部５０は前記カバー３０の内壁との間でＹパッキン６０によりシールされている。【選択図】    図１
2006017231.tif 000002
【特許請求の範囲】
【請求項１】
ハウジングと、該ハウジングを被覆するカバーと、前記ハウジングとカバー間に配置されるピストン型の圧力調整弁機構を有する圧力調整器であって、
前記ハウジングの外側底面に凹部を刻設してプッシュ缶接続用の流入口を設け、該流入口の内壁に前記プッシュ缶の頭部がねじ込み可能なネジ山を形成し、
前記カバーの中央に外側に突出する流出継手を設ける一方、
前記流入口にＯリングを装着し、該Ｏリングはプッシュ缶接続側にテ―パ面が形成された孔部を有するＯリング押えで固定する
ことを特徴とするプッシュ缶用圧力調整器。
【請求項２】
前記圧力調整弁機構は一次室と二次室とを遮断して前記カバー内を摺動するピストン部を有し、該ピストン部は前記カバー内壁との間でＹパッキンによりシールされる請求項１に記載のプッシュ缶用圧力調整器。
【請求項３】
前記流出継手の流出孔内に、流量調整のためのオリフィスを装着した請求項１に記載のプッシュ缶用圧力調整器。
【発明の詳細な説明】
【技術分野】
【０００１】
本発明は、ＧＣ装置の校正に使用する標準ガスが充填されたプッシュ缶に接続可能なプッシュ缶用圧力調整器に係り、特に、プッシュ缶に直接に接続することができ、減圧によるガスの消費節約を可能とした構造に関する。
【背景技術】
【０００２】
プッシュ缶は、大気汚染の測定等に使用されるＧＣ装置における初期値設定等の校正に使用する標準ガスを充填するもので、充填されるガスとしては、メタン，水素，二酸化炭素等の各種ガスや、混合ガスがある。
従来、プッシュ缶専用に製作された圧力調整器は存在しなかったため、プッシュ缶のノズルを圧力調整器の流入口に直接固定することができなかった。
そこで、小型ボンベ用に製作された圧力調整器を使用し、プッシュ缶のノズルと圧力調整器の間に変換アダプターを介在させて接続することが行われている。また、プッシュ缶は、ガスが低い圧力で充填されているということもあり、圧力調整器を接続することなく（減圧機構を設けることなく）継手のみを接続して使用する場合もあった。
【発明の開示】
【発明が解決しようとする課題】
【０００３】
しかしながら小型ボンベ用の圧力調整器をプッシュ缶に接続するためには、変換アダプターが必要となるため、取り扱いが煩雑になるばかりか使用時において全体の重量が増加するという問題点があった。
また、圧力調整器を介在させることなく直接継手に接続する場合は、減圧機構がないためガスの消費が早くなるという問題点があった。
【０００４】
本発明は上記実情に鑑みてなされたもので、プッシュ缶に直接に接続することができ、減圧及び流量制御によるガスの消費節約を可能としたプッシュ缶用圧力調整器を提供することを目的としている。
【課題を解決するための手段】
【０００５】
上記目的を達成するため本発明（請求項１）のプッシュ缶用圧力調整器９は、ハウジング１０と、該ハウジング１０を被覆するカバー３０と、前記ハウジング１０とカバー３０間に配置されるピストン型の圧力調整弁機構４０を有する圧力調整器であって、次の構成を含むことを特徴としている。
前記ハウジング１０の外側底面に凹部を刻設してプッシュ缶１接続用の流入口１１を設け、該流入口１１の内壁に前記プッシュ缶１の凸部（頭部）２がねじ込み可能なネジ山１２を形成する。
前記カバー３０の中央に外側に突出する流出継手３１を設ける。
前記流入口にＯリング１６を装着し、該Ｏリング１６はプッシュ缶接続側にテ―パ面１７が形成された孔部１８を有するＯリング押え１９で固定する。
【０００６】
請求項２は、請求項１に記載のプッシュ缶用圧力調整器９において、前記圧力調整弁機構４０は一次室と二次室とを遮断して前記カバー３０内を摺動するピストン部５０を有し、該ピストン部５０は前記カバー３０の内壁との間でＹパッキン６０によりシールされることを特徴としている。
【０００７】
請求項３は、請求項１に記載のプッシュ缶用圧力調整器９において、前記流出継手３１の流出孔（流出孔３２の大径部３３）内に、流量調整のためのオリフィス３５を装着したことを特徴としている。
【発明の効果】
【０００８】
本発明のプッシュ缶用圧力調整器９によれば、ハウジング１０の外側底面に凹部１１を刻設してプッシュ缶１接続用の流入口を設け、該流入口の内壁に前記プッシュ缶１の凸部（頭部）２がねじ込み可能なネジ山１２を形成するので、プッシュ缶１を直接流入口へ装着することができる。
また、流入口にＯリング１６を装着し、Ｏリング１６はプッシュ缶接続側にテ―パ面１７が形成された孔部１８を有するＯリング押え１９で固定することで、プッシュ缶１のノズル３を挿入した際にその周囲をＯリング１６でシールすることができ、ガス漏れの発生を防止することができる。
【発明を実施するための最良の形態】
【０００９】
以下、本発明のプッシュ缶用圧力調整器の一実施例について、図１乃至図３を参照しながら説明する。図２はプッシュ缶用圧力調整器の平面説明図、図１は図２のＡ−Ａ線における断面説明図、図３は図２のＢ−Ｂ線における断面説明図である。
本例によるプッシュ缶用圧力調整器９は、内部に標準ガスが充填されるプッシュ缶１のノズル３に直接装着可能に構成されている。プッシュ缶１は金属部材でボトル状に構成され、その先端側に周囲にネジ山が形成された凸部（頭部）２が形成され、凸部１２中央に細線状のノズル３が配置されている。ノズル３はプッシュ缶１本体側に数ミリ程度の距離だけ退避可能に形成され、退避状態においてのみノズル３先端から内部に充填されたガスが放出される機構を有している。
プッシュ缶１には、０．１〜０．８ＭＰａ程度の標準ガスが充填されている。
【００１０】
プッシュ缶用圧力調整器９は、円柱状のハウジング１０と、このハウジング１０を被覆するカバー３０と、前記ハウジング１０とカバー３０間に配置されるピストン型の圧力調整弁機構４０を有して構成されている。
ハウジング１０の外側底面には、プッシュ缶１の凸部２に対応する凹部が刻設されることでプッシュ缶接続用の流入口１１を設けている。そして、この流入口１１の内壁には、プッシュ缶１の凸部（頭部）２がねじ込み可能なネジ山１２が形成されている。
流入口１１の底部１３には流入口１１と同軸の流入通路１４が穿孔され、流入通路１４の底部に流入通路１４よりやや小径の縦孔１５が段部１５ａを配置して形成されている。
前記底部１３にはＯリング１６が配置され、このＯリング１６はプッシュ缶接続側にテ―パ面１７が形成された孔部１８を有するＯリング押え１９を流入口１１内に配置することで固定されている。流入通路１４及び孔部１８の径は、プッシュ缶１のノズル３が密着して挿入可能な径となっている。
【００１１】
ハウジング１１の側方部には、前記縦孔１５に通じる横孔２０が設けられ、更にこの横孔２０が連通する側孔部２１が形成されている。この側孔部２１には、ハンドル２２の回転操作により弁棒２３が進退可能に装着された弁棒案内２４が固定され、前記弁棒２３の先端小径部２５に装着されたシート部２６がハンドル２２の操作により横孔２０を塞ぐようになっている。
【００１２】
ハウジング１０の凹部形成側と反対側は筒状蓋体のカバー３０で被覆され、ハウジング１０とカバー３０間にピストン型の圧力調整弁機構４０が配置されている。すなわち、ハウジング１０に内壁４１を立設することで、内壁４１内に前記縦孔１４と遮断された減圧部４２を設ける。この減圧部４２内に弁座４３を弁座押え４４により固定する。弁座４３には、中央上方に弁孔４５が形成され、下方に弁孔４５に連通する連通孔４６が形成されている。連通孔４６の下部にはフィルター４７が装着され、弁座４３の上面の弁孔周囲には環状凸部４８が形成されている。
【００１３】
弁座押え４４の中央にはピストン孔４９が形成され、このピストン孔４９内をピストンの一部分であるピストン部５０が摺動するようになっている。ピストンは、ピストン部５０の上方端にフランジ５１を有し、このフランジ５１の周囲に外側に開口部を有するコ字状部５２を形成し、コ字状部５２の外側下面とハウジング１０の内壁外側との間にスプリング５５を装着することで、ピストン全体が図１の上方に付勢されるようになっている。
また、コ字状部５２の開口部にはＹ字の上側がハウジング１１の反対側に位置するようにフッ素ゴムで構成された断面がＹ字状（図４）のＹパッキン６０が装着されることで、カバー３０の内側との間をシールしている。
【００１４】
ピストン部５０の下面には弁座４３の環状凸部４８に当接する弁シート５６が設けられるとともに、弁シート５６の上側に横孔５７及び縦孔５８が形成されている。また、ピストン部５０の先端は、ピストン孔４９より小径とすることで、弁孔４５から流れ込むガスがピストン部５０の周囲、横孔５７、縦孔５８を通ってピストン外側（後述する流出口側）へ流れるようになっている。
したがって、圧力調整弁機構４０において、弁座４３の環状凸部４８と弁シート５６の当接部分を境にして、弁孔４５側に通じる空間が一次（圧力）室、ピストン孔４９に通じる空間が二次（圧力）室（減圧室）となっている。
【００１５】
カバー３０の中央には外側に突出する流出継手３１が設けられ、流出継手３１内を貫通する流出孔３２のハウジング側に大径部３３が設けられ、この大径部３３内に前記流出孔３２の口径より小さい径の孔部３４が形成された円筒状のオリフィス３５が装着されている。このオリフィス３５は、ガスが流れる流路の口径を狭めることで、流量調整を行うものである。
【００１６】
弁孔４５側に通じる空間は、連通孔２７を介して側孔部２１に通じており、側孔部２１からガスが流入するようになっている。 
また、ハウジング１０の側面側には、縦孔１５に通じる横孔２８が穿孔され、一次室（プッシュ缶１に充填されたガス）の圧力を計測する圧力計７０が装着されている。
【００１７】
次に、上記構造のプッシュ缶用圧力調整器を使用する場合について説明する。
先ず、プッシュ缶１の凸部２のノズル３がプッシュ缶用圧力調整器９の流入口１１内の流入通路１４に嵌るように装着すると、Ｏリング１６がノズル周囲に当接してノズル先端側の周囲をシールする。この際、Ｏリング押え１９の孔部１８にテーパ部１７が形成されているので、ノズル３先端を流入通路１４内に導き易くさせることができる。
この状態でプッシュ缶１を回すことで、凸部２が流入口１１のネジ山１２に対して螺進し、ノズル先端が段部１５ａに当接して退避し、プッシュ缶１がガス流出状態となる。
【００１８】
次に、ハンドル２２を回して弁棒２３を移動させ、シート部２６を横孔２０のハウジング面から離反させると、プッシュ缶のノズル３から流出したガスは、縦孔１５、横孔２０、側孔部２１、連通孔２５、一次（圧力）室及びフィルター部４７を通って弁孔４５に流れ、弁シート５６を押し上げて二次（圧力）室側に流れ、ピストンのフランジ部５１を下側に押すように作用する。
ピストン部５０の先端に装着されている弁シート５６はスプリング５５により上側に付勢されているので、ガスの流入によりピストンのフランジ部５１を下側に押す力が打ち勝つと弁シート５６が環状凸部４８に密着して弁孔４３を閉鎖してガスの流入を止める。したがって、弁シート５６が環状凸部４８への接離を繰り返すことにより、第２次圧力室内をスプリング５５の付勢力で決まる一定圧（例えば０．０８〜０．１１ＭＰａ）に減圧することが可能になる。
【００１９】
より厳密には、ピストンが移動するに際してシール部分での摺動抵抗が生じるので、スプリング５５の弾性力に摺動抵抗を加えた力よりピストンのフランジ部５１を押す力（二次室の圧力）が大きくなった時に閉弁する。
プッシュ缶１の場合、出口圧力として低圧な０．０８〜０．１１ＭＰａに減圧するので、摺動抵抗の値が出口圧力（減圧された二次室の圧力）に与える影響が大きくなる。
本実施例では、Ｙパッキン６０によりピストンをシールするように構成しているので、カバー内側に当る接触抵抗がＹパッキンを使用することにより小さくなり、Ｏリングでのシールに比較して摺動抵抗を低くすることができ、出口圧力をスプリング５５の付勢力で決まる一定圧との間の誤差を少なくすることができる。
【００２０】
また、流出孔３２の大径部３３にオリフィス３５を装着しているので、二次（圧力）室の設定圧を同じにした場合においても、ガスが流れる流路の口径を狭めることで流量調整を行うことができ、ガスを節約することができる。
【図面の簡単な説明】
【００２１】
【図１】本発明のプッシュ缶用圧力調整器の一実施例を示す縦断面説明図である。
【図２】プッシュ缶用圧力調整器の平面説明図である。
【図３】図２に示したプッシュ缶用圧力調整器のＢ−Ｂ線における断面説明図である。
【図４】Ｙパッキンの断面説明図である。
【符号の説明】
【００２２】
１  プッシュ缶
２  凸部
３  ノズル
９  プッシュ缶用圧力調整器
１０  ハウジング
１１  流入口
１２  ネジ山
１４  流入通路
１５  縦孔
１５ａ  段部
１６  Ｏリング
１７  テーパ面
１８  Ｏリング押え
２１  側孔部
３０  カバー
３１  流出継手
３２  流出孔
３５  オリフィス
４０  圧力調整機構
４３  弁座
４５  弁孔
４７  フィルター
４８  環状凸部
４９  ピストン孔
５０  ピストン部
５１  フランジ部
５２  コ字状部
６０  Ｙパッキン
７０  圧力計
【図１】
2006017231.tif 000003
【図２】
2006017231.tif 000004
【図３】
2006017231.tif 000005
【図４】
2006017231.tif 000006